(57)【要約】【課題】本願明細書に開示される技術は、端子付き電線の端子をハウジングのキャビティに挿入する作業の訓練を繰り返し行う装置に関するものである。【解決手段】本願明細書に開示される技術に関する端子挿入訓練装置は、端部に端子（１０Ａ）が接続された端子付き電線（１０）を収容する少なくとも一段の電線ケース（１６）と、電線ケース（１６）に収容される端子付き電線（１０）の端子（１０Ａ）が挿入されるハウジング（２２）と、ハウジング（２２）を固定する受け治具（１２）とを備え、ハウジング（２２）は、挿入された端子付き電線（１０）の端子（１０Ａ）を、着脱可能に保持する。【選択図】図８
2018078013.tif 000002
【特許請求の範囲】
【請求項１】
端部に端子が接続された端子付き電線を収容する少なくとも一段の電線ケースと、
前記電線ケースに収容される前記端子付き電線の前記端子が挿入されるハウジングと、
前記ハウジングを固定する受け治具とを備え、
前記ハウジングは、挿入された前記端子付き電線の前記端子を、着脱可能に保持する、
端子挿入訓練装置。
【請求項２】
前記電線ケースは、複数段重ねて設けられ、
平面視において、下段の前記電線ケースの前記受け治具側の端部は、前記下段と上下方向で隣り合う上段の前記電線ケースの前記受け治具側の端部よりも前記受け治具に近い、
請求項１に記載の端子挿入訓練装置。
【請求項３】
前記受け治具には、前記ハウジングが嵌め込まれる開口部が形成され、
前記ハウジングは、前記開口部に、前記端子が挿入される側の面が露出する姿勢で嵌め込まれ、かつ、固定される、
請求項１または請求項２に記載の端子挿入訓練装置。
【請求項４】
前記端子挿入訓練装置は、さらに、
前記ハウジングが嵌め込まれ、かつ、前記ハウジングに前記端子付き電線の端子が保持された状態を解除する解除治具を備え、
前記ハウジングが前記受け治具に固定された状態では、前記ハウジングは、前記端子付き電線の前記端子を保持し、
前記ハウジングが前記解除治具に嵌め込まれた状態では、前記ハウジングは、前記端子付き電線の前記端子の保持状態を解除する、
請求項１から請求項３のうちのいずれか１項に記載の端子挿入訓練装置。
【発明の詳細な説明】
【技術分野】
【０００１】
本願明細書に開示される技術は、端子付き電線の端子をハウジングなどに挿入する技術に関するものである。
【背景技術】
【０００２】
たとえば、特許文献１に例示されるような、端子付き電線の端子をハウジングのキャビティに挿入する作業には、熟練の技能が必要となる。そのため、当該作業を効率よく行うためには、作業者があらかじめ当該作業の訓練を行っておき、作業者の技能を高めておくことが望ましい。
【先行技術文献】
【特許文献】
【０００３】
【特許文献１】特開平０６−２２３６４６号公報
【発明の概要】
【発明が解決しようとする課題】
【０００４】
しかしながら、上記のような端子付き電線の端子をハウジングのキャビティに挿入する作業の訓練を行う場合、訓練に用いられたハウジングおよび端子付き電線を再度使用するためには、専用の工具などを用いて、それぞれのキャビティごとに熟練の技能を要する端子の抜き取り作業を行う必要があった。そのため、端子付き電線の端子をハウジングのキャビティに挿入する作業を繰り返し行うための訓練装置を実現することは困難であった。
【０００５】
本願明細書に開示される技術は、以上に記載されたような問題を解決するためになされたものであり、端子付き電線の端子をハウジングのキャビティに挿入する作業の訓練を繰り返し行う装置に関するものである。
【課題を解決するための手段】
【０００６】
本願明細書に開示される技術の第１の態様は、端部に端子が接続された端子付き電線を収容する少なくとも一段の電線ケースと、前記電線ケースに収容される前記端子付き電線の前記端子が挿入されるハウジングと、前記ハウジングを固定する受け治具とを備え、前記ハウジングは、挿入された前記端子付き電線の前記端子を、着脱可能に保持する。
【０００７】
また、本願明細書に開示される技術の第２の態様は、第１の態様に関連し、前記電線ケースは、複数段重ねて設けられ、平面視において、下段の前記電線ケースの前記受け治具側の端部は、前記下段と上下方向で隣り合う上段の前記電線ケースの前記受け治具側の端部よりも前記受け治具に近い。
【０００８】
また、本願明細書に開示される技術の第３の態様は、第１の態様または第２の態様に関連し、前記受け治具には、前記ハウジングが嵌め込まれる開口部が形成され、前記ハウジングは、前記開口部に、前記端子が挿入される側の面が露出する姿勢で嵌め込まれ、かつ、固定される。
【０００９】
また、本願明細書に開示される技術の第４の態様は、第１の態様から第３の態様のうちのいずれか１つに関連し、前記端子挿入訓練装置は、さらに、前記ハウジングが嵌め込まれ、かつ、前記ハウジングに前記端子付き電線の端子が保持された状態を解除する解除治具を備え、前記ハウジングが前記受け治具に固定された状態では、前記ハウジングは、前記端子付き電線の前記端子を保持し、前記ハウジングが前記解除治具に嵌め込まれた状態では、前記ハウジングは、前記端子付き電線の前記端子の保持状態を解除する。
【発明の効果】
【００１０】
本願明細書に開示される技術の第１の態様によれば、ハウジングが端子を着脱可能に保持することができるため、ハウジングに挿入された端子を抜き取った後、当該ハウジングと端子とを再び端子挿入の訓練に使用することができる。すなわち、端子をハウジングに挿入する作業の訓練を、熟練の技能を要する抜き取り作業を必要とせずに、同じ材料で繰り返し行うことができる。
【００１１】
特に、第２の態様によれば、複数段の電線ケースが設けられる場合であっても、上下段の電線ケース双方において、端子付き電線を取り出しやすい。したがって、作業効率を高めることができる。
【００１２】
特に、第３の態様によれば、ハウジングが、端子が挿入される側の面が露出した状態で受け治具に確実に固定される。そのため、作業者は、端子の挿入訓練を効率的に行うことができる。
【００１３】
特に、第４の態様によれば、ハウジングを解除治具に嵌め込むことによって、ハウジングにおける端子の保持状態を容易に解除することができる。したがって、ハウジングにおける端子の保持状態を解除するために、熟練の技能を用いる必要がない。
【００１４】
本願明細書に開示される技術に関する目的と、特徴と、局面と、利点とは、以下に示される詳細な説明と添付図面とによって、さらに明白となる。
【図面の簡単な説明】
【００１５】
【図１】実施の形態に関する、端子挿入訓練装置を実現するための構成を例示する図である。
【図２】本実施の形態に関する、端子挿入訓練装置の受け治具に固定されるハウジングの構成を例示する斜視図である。
【図３】図２に例示されたハウジングの正面図である。
【図４】図３に例示されたハウジングのＡＡ断面図である。
【図５】本実施の形態に関する、切り替え機構の構成を例示する正面図である。
【図６】本実施の形態に関する、ハウジングが受け治具に固定された状態を例示する図である。
【図７】本実施の形態に関する、ハウジングの切り替え機構を移動させるための解除治具の構成を例示する斜視図である。
【図８】本実施の形態に関する、ハウジングが解除治具の固定孔内が装着された状態を例示する断面図である。
【図９】本実施の形態に関する、ハウジングが解除治具の固定孔内から抜き取られる際の状態を例示する断面図である。
【図１０】本実施の形態に関する、端子挿入訓練の手順を簡単に示すフローチャートである。
【発明を実施するための形態】
【００１６】
以下、添付される図面を参照しながら実施の形態について説明する。
【００１７】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。
【００１８】
また、以下に示される説明では、同様の構成要素には同じ符号を付して図示し、それらの名称と機能とについても同様のものとする。したがって、それらについての詳細な説明を、重複を避けるために省略する場合がある。
【００１９】
また、以下に記載される説明において、「上」、「下」、「左」、「右」、「側」、「底」、「表」または「裏」などの特定の位置と方向とを意味する用語が用いられる場合があっても、これらの用語は、実施の形態の内容を理解することを容易にするために便宜上用いられるものであり、実際に実施される際の方向とは関係しないものである。
【００２０】
＜実施の形態＞
以下、本実施の形態に関する端子挿入訓練装置について説明する。
【００２１】
＜端子挿入訓練装置の構成について＞
図１は、本実施の形態に関する端子挿入訓練装置を実現するための構成を例示する図である。図１に例示されるように、端子挿入訓練装置は、端子付き電線１０が挿入されるハウジング２２と、ハウジング２２を固定する受け治具１２と、受け治具１２が固定される受け治具板１４と、受け治具板１４に連結され、かつ、端子付き電線１０を収容する電線ケース１６と、電線ケース１６を下段として上段に重ねられ、かつ、端子付き電線１０を収容する電線ケース１８と、電線ケース１８のさらに上段に重ねられる部品ケース２０とを備える。
【００２２】
端子付き電線１０は、電線１０Ｂと、電線１０Ｂの端部に接続された端子１０Ａとを備える。
【００２３】
電線１０Ｂは、銅またはアルミニウムなどの金属を主成分とする線材である芯線と、当該芯線の周囲を覆う絶縁被覆とを備える。絶縁被覆は、たとえば、ポリエチレン、塩化ビニルまたはポリアミド系ナイロンなどを主成分とする合成樹脂の部材である。
【００２４】
端子１０Ａは、電線１０Ｂの端部に接続される。端子１０Ａは、たとえば、銅またはスズなどの金属を主成分とする金属の部材である。端子１０Ａと電線１０Ｂとの接続方法としては、たとえば、圧着または溶接などがある。
【００２５】
受け治具１２は、受け治具板１４の上面において、その開口部１２Ｂを上方に向けた状態で固定される。ハウジング２２は、受け治具１２の開口部１２Ｂに、端子付き電線１０の端子１０Ａが挿入される面を上方に向けた状態で嵌め込まれる。また、受け治具１２は、嵌め込まれたハウジング２２の、端子付き電線１０の端子１０Ａが挿入される面の縁部に引っかかる抜け止め部１２Ａを有していてもよい。また、受け治具１２の開口部１２Ｂには、類似する形状を有する複数種のハウジング２２が共通に嵌め込まれることが想定される。
【００２６】
受け治具板１４の上面には、受け治具１２が固定される。また、受け治具板１４の側面には、たとえば、面ファスナーが取り付けられており、受け治具板１４は、同様に側面に面ファスナーが取り付けられた電線ケース１６と連結される。
【００２７】
なお、受け治具板１４の上面の、受け治具１２が固定される箇所の周辺には、ハウジング２２のキャビティに挿入される端子の種別を指示する内容を記載した指示書き１４Ａが粘着剤などによって貼り付けられていてもよい。
【００２８】
電線ケース１６は、端子付き電線１０を収容するケースである。電線ケース１６の長手方向の長さは、たとえば、３００ｍｍ、または、５００ｍｍである。電線ケース１６は、図１に例示されるように、複数のレーンを有することができるため、端子付き電線１０を種別ごとに分けて収容することができる。ここで、端子付き電線１０の種別とは、たとえば、電線１０Ｂの太さ、電線１０Ｂの長さ、端子１０Ａの形状、または、端子１０Ａの大きさなどを基準として定められるものとする。
【００２９】
電線ケース１６は、側面に面ファスナーが取り付けられており、同様に側面に面ファスナーが取り付けられた受け治具板１４と当該面ファスナーを介して連結される。
【００３０】
電線ケース１８は、電線ケース１６に重ねられて配置される。電線ケース１８の長手方向の長さは、たとえば、３００ｍｍ、または、５００ｍｍである。ここで、図１に例示される場合では、電線ケース１８の受け治具板１４に近い側の端部は、電線ケース１６の受け治具板１４と連結する端部よりも、受け治具板１４から後退して配置される。後退する幅は、たとえば、１００ｍｍとすることができる。このように配置されることによって、作業者が電線ケース１６から端子付き電線１０を取り出す際に、電線ケース１８に接触することを抑制することができる。そのため、端子付き電線１０の取り出し作業が容易となり、作業者の作業効率が高まる。
【００３１】
電線ケース１８は、図１に例示されるように、複数のレーンを有することができるため、端子付き電線１０を種別ごとに分けて収容することができる。なお、電線の種別が少ない場合などでは、電線ケース１６のみを備え、電線ケース１８は備えられなくてもよい。
【００３２】
部品ケース２０は、ハウジング２２を含む部品を収容するケースである。部品ケース２０は、図１に例示されるように、複数のレーンを有することができるため、部品を種別ごとに分けて収容することができる。図１に例示される場合では、ハウジング２２の他に、複数の端子付き電線１０をまとめて通す際などに用いるチューブ２４が収容されている。
【００３３】
＜ハウジングの構成について＞
図２は、本実施の形態に関する端子挿入訓練装置の受け治具１２に固定されるハウジング２２の構成を例示する斜視図である。また、図３は、図２に例示されたハウジング２２の正面図である。なお、端子挿入訓練に用いられるハウジングは、複数種想定することができる。図２および図３に例示されるように、ハウジング２２は、端子付き電線１０の端子１０Ａが挿入される複数のキャビティ２２Ａを備える。また、ハウジング２２には、ハウジング２２の端子１０Ａが挿入される側の面とその反対側の面との間で貫通する貫通孔２２Ｂが形成される。
【００３４】
図４は、図３に例示されたハウジングのＡＡ断面図である。図４に例示されるように、ハウジング２２は、貫通孔２２Ｂに連通して配置される切り替え機構２２Ｃを備える。切り替え機構２２Ｃは、図４における上下方向に移動可能であるため、突起２２Ｄは、キャビティ２２Ａ内に進入する位置と、キャビティ２２Ａ内から退避する位置との間で移動可能である。したがって、ハウジング２２は、挿入された端子付き電線１０の端子１０Ａを、着脱可能に保持することができる。
【００３５】
図５は、本実施の形態に関する、切り替え機構２２Ｃの構成を例示する正面図である。図５に例示されるように、突起２２Ｄは、複数のキャビティ２２Ａ内に同時に進入するように連結して形成されていてもよい。そのような構成であれば、切り替え機構２２Ｃを移動させることによって、複数のキャビティ２２Ａ内に挿入されて保持されている端子１０Ａを同時に抜き取ることができるため、作業効率が向上する。
【００３６】
次に、ハウジング２２の固定態様について説明する。図６は、ハウジング２２が受け治具１２に固定された状態を例示する図である。図６に例示されるように、受け治具１２の開口部１２Ｂにおいて、ハウジング２２は、ハウジング２２の端子１０Ａが挿入される面が露出する態様で嵌め込まれる。また、受け治具１２は、ハウジング２２の露出する面の縁部に引っかかる抜け止め部１２Ａを有していてもよい。
【００３７】
次に、ハウジング２２に挿入された端子１０Ａの着脱態様について説明する。図７は、ハウジング２２の切り替え機構２２Ｃを移動させるための解除治具２６の構成を例示する斜視図である。
【００３８】
図７に例示されるように、解除治具２６は、ハウジング２２を固定するための固定孔２６Ａと、ハウジング２２の貫通孔２２Ｂに挿入される突起２６Ｂとを備える。解除治具２６は、固定孔２６Ａと突起２６Ｂとの形状が許容する範囲で、複数種のハウジング２２に対して使用可能である。ここで、解除治具２６は、受け治具１２とともに、受け治具板１４の上面に固定されていてもよい。または、解除治具２６は、複数の端子挿入訓練装置に共通して１つ設けられてもよい。
【００３９】
図８は、ハウジング２２が解除治具２６の固定孔２６Ａ内に装着された状態、すなわち、ハウジング２２が解除治具２６に嵌め込まれた状態を例示する断面図である。図８は、図３に例示されたハウジングのＡＡ断面図に対応する。
【００４０】
この状態では、図８に例示されるように、ハウジング２２の貫通孔２２Ｂに突起２６Ｂが挿入される。そして、突起２６Ｂの下面が切り替え機構２２Ｃの貫通孔２２Ｂと連通する下面を押し下げることによって、切り替え機構２２Ｃは下方に移動する。そうすると、切り替え機構２２Ｃの突起２２Ｄは、キャビティ２２Ａ内から退避する位置に移動するため、キャビティ２２Ａに挿入された端子１０Ａと切り替え機構２２Ｃの突起２２Ｄとの引っかかりが解除される。すなわち、キャビティ２２Ａに挿入された端子１０Ａは、キャビティ２２Ａから抜き取り可能な状態となる。
【００４１】
一方で、図９は、ハウジング２２が解除治具２６の固定孔２６Ａ内から抜き取られる際の状態を例示する断面図である。図９は、図３に例示されたハウジングのＡＡ断面図に対応する。
【００４２】
この状態では、図９に例示されるように、ハウジング２２の貫通孔２２Ｂから突起２６Ｂが抜き出される。その際、突起２６Ｂの上面が切り替え機構２２Ｃの貫通孔２２Ｂと連通する上面を押し上げることによって、切り替え機構２２Ｃは上方に移動する。そうすると、切り替え機構２２Ｃの突起２２Ｄは、キャビティ２２Ａ内に進入する位置に移動するため、キャビティ２２Ａに挿入された端子１０Ａに切り替え機構２２Ｃの突起２２Ｄが引っかかる。すなわち、キャビティ２２Ａに挿入された端子１０Ａは、キャビティ２２Ａ内に保持され、容易に抜けない状態となる。
【００４３】
なお、本実施の形態では、ハウジング２２の切り替え機構２２Ｃを移動させるための治具として解除治具２６が用いられたが、ハウジング２２の切り替え機構２２Ｃを移動させることができるものであれば、治具の形状などは特に限られない。たとえば、ドライバーなどの一般的な工具を用いて切り替え機構２２Ｃを移動させてもよい。
【００４４】
＜端子挿入訓練について＞
図１０は、たとえば、車両に搭載されるワイヤーハーネスの全体構造を形成する前段階での仮結束作業を想定した、端子挿入訓練の手順を簡単に示すフローチャートである。以下、端子挿入訓練の手順を、図１０を参照しつつ説明する。
【００４５】
まず、上面に受け治具１２が固定された受け治具板１４を用意する。そして、受け治具板１４の側面に取り付けられた面ファスナーを介して、受け治具板１４と電線ケース１６とを連結する。訓練に用いる端子付き電線１０の種類が多い場合には、さらに、電線ケース１６の上に電線ケース１８を重ねて配置する。このとき、電線ケース１６と電線ケース１８とは、受け治具板１４に近い側の端部がずれて配置され、かつ、上段の電線ケース１８の方が受け治具板１４から後退する位置に配置されていることが望ましい。そして、最上段の電線ケースの上に、部品ケース２０を配置する（ステップＳＴ１０１を参照）。
【００４６】
次に、電線ケース１６、および、電線ケース１８に端子付き電線１０を収容する。複数のレーンが設けられる場合には、それぞれの種別の端子付き電線１０を分けて収容する。また、部品ケース２０には、少なくともハウジング２２を収容する（ステップＳＴ１０２を参照）。
【００４７】
次に、ハウジング２２を受け治具１２に固定する（ステップＳＴ１０３を参照）。この際、受け治具１２に嵌め込まれたハウジング２２の、端子付き電線１０の端子１０Ａが挿入される面の縁部に抜け止め部１２Ａが引っかかることによって、ハウジング２２が確実に固定される。
【００４８】
次に、あらかじめ定められたキャビティ２２Ａ内に、それぞれの端子１０Ａを挿入する（ステップＳＴ１０４を参照）。そして、予定されていたすべての端子１０Ａの挿入が終わった後、ハウジング２２を受け治具１２から抜き取る（ステップＳＴ１０５を参照）。この際には、抜け止め部１２Ａをハウジング２２の縁部から外す。
【００４９】
次に、解除治具２６などを用いて切り替え機構２２Ｃを移動させることによって、キャビティ２２Ａ内に挿入された端子１０Ａと切り替え機構２２Ｃの突起２２Ｄとの引っかかりを解除する（ステップＳＴ１０６を参照）。そして、端子１０Ａをキャビティ２２Ａから抜き出す（ステップＳＴ１０７を参照）。
【００５０】
以上によれば、ハウジング２２のキャビティ２２Ａに端子付き電線１０の端子１０Ａを挿入する訓練において、ハウジング２２の切り替え機構２２Ｃを移動させることによって、キャビティ２２Ａ内に一旦挿入された端子１０Ａを容易に抜き取ることができる。そのため、ハウジング２２と端子１０Ａとを再度使用して、端子挿入訓練を繰り返し行うことができる。
【００５１】
＜以上に記載された実施の形態によって生じる効果について＞
次に、以上に記載された実施の形態によって生じる効果を例示する。なお、以下の説明においては、以上に記載された実施の形態に例示された具体的な構成に基づいて当該効果が記載されるが、同様の効果が生じる範囲で、本願明細書に例示される他の具体的な構成と置き換えられてもよい。
【００５２】
以上に記載された実施の形態によれば、端子挿入訓練装置は、少なくとも一段の電線ケース１６と、ハウジング２２と、受け治具１２とを備える。電線ケース１６は、端部に端子１０Ａが接続された端子付き電線１０を収容する。ハウジング２２は、電線ケース１６に収容される端子付き電線１０の端子１０Ａが挿入される。受け治具１２は、ハウジング２２を固定する。そして、ハウジング２２は、挿入された端子付き電線１０の端子１０Ａを、着脱可能に保持する。
【００５３】
このような構成によれば、ハウジング２２が端子１０Ａを着脱可能に保持することができるため、ハウジング２２のキャビティ２２Ａに挿入された端子１０Ａを抜き取った後、当該ハウジング２２と端子１０Ａとを再び端子挿入の訓練に使用することができる。すなわち、端子１０Ａをハウジング２２のキャビティ２２Ａに挿入する作業の訓練を、熟練の技能を要する抜き取り作業を必要とせずに、同じ材料で繰り返し行うことができる。ハウジング２２のキャビティ２２Ａから端子１０Ａを抜く作業には、解除治具２６を用いることができるが、たとえば、ドライバーなどの一般的な工具であっても当該作業に用いることができる。また、ハウジング２２の複数のキャビティ２２Ａに端子１０Ａが挿入されている場合であっても、本実施の形態に関するハウジング２２によれば、それらの端子１０Ａを一度に抜き取ることができる。そのため、作業効率がよい。
【００５４】
なお、これらの構成以外の本願明細書に例示される他の構成については適宜省略することができる。すなわち、これらの構成のみで、以上に記載された効果を生じさせることができる。
【００５５】
しかしながら、本願明細書に例示される他の構成のうちの少なくとも１つを以上に記載された構成に適宜追加した場合、すなわち、以上に記載された構成としては記載されなかった本願明細書に例示される他の構成を以上に記載された構成に追加した場合でも、同様に以上に記載された効果を生じさせることができる。
【００５６】
また、以上に記載された実施の形態によれば、電線ケース１６と電線ケース１８とは、複数段重ねて設けられる。そして、平面視において、下段の電線ケース１６の受け治具１２側の端部は、下段と上下方向で隣り合う上段の電線ケース１８の受け治具１２側の端部よりも受け治具１２に近い。このような構成によれば、複数段の電線ケースが設けられる場合であっても、上下段の電線ケース双方において、端子付き電線１０を取り出しやすい。したがって、作業効率を高めることができる。また、使用する端子付き電線１０の種類数などに応じて電線ケースをさらに重ねて配置することもできるため、様々な訓練要望に沿う材料配置が可能となる。
【００５７】
また、以上に記載された実施の形態によれば、受け治具１２には、ハウジング２２が嵌め込まれる開口部１２Ｂが形成される。そして、ハウジング２２は、開口部１２Ｂに、端子１０Ａが挿入される側の面が露出する姿勢で嵌め込まれ、かつ、固定される。このような構成によれば、ハウジング２２が、端子１０Ａが挿入される側の面が露出した状態で受け治具１２に確実に固定される。そのため、作業者は、端子１０Ａの挿入訓練を効率的に行うことができる。
【００５８】
また、以上に記載された実施の形態によれば、端子挿入訓練装置は、解除治具２６を備える。解除治具２６には、ハウジング２２が嵌め込まれる。また、解除治具２６は、ハウジング２２に端子付き電線１０の端子１０Ａが保持された状態を解除する。ハウジング２２が受け治具１２に固定された状態では、ハウジング２２は、端子付き電線１０の端子１０Ａを保持する。ハウジング２２が解除治具２６に嵌め込まれた状態では、ハウジング２２は、端子付き電線１０の端子１０Ａの保持状態を解除する。このような構成によれば、ハウジング２２を解除治具２６に嵌め込むことによって、ハウジング２２における端子１０Ａの保持状態を容易に解除することができる。したがって、ハウジングにおける端子１０Ａの保持状態を解除するために、熟練の技能を用いる必要がない。なお、解除治具２６を受け治具板１４に固定することによって、解除治具２６が受け治具１２と共通の板状部材に固定されることとなる。そのため、ハウジング２２を受け治具１２から解除治具２６へスムーズに移動させることができ、作業効率が高まる。
【００５９】
＜以上に記載された実施の形態における変形例について＞
以上に記載された実施の形態では、それぞれの構成要素の材質、材料、寸法、形状、相対的配置関係または実施の条件などについても記載する場合があるが、これらはすべての局面において例示であって、本願明細書に記載されたものに限られることはないものとする。
【００６０】
したがって、例示されていない無数の変形例、および、均等物が、本願明細書に開示される技術の範囲内において想定される。たとえば、少なくとも１つの構成要素を変形する場合、追加する場合または省略する場合が含まれるものとする。
【００６１】
また、矛盾が生じない限り、以上に記載された実施の形態において「１つ」備えられるものとして記載された構成要素は、「１つ以上」備えられていてもよいものとする。
【００６２】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【００６３】
また、以上に記載された実施の形態におけるそれぞれの構成要素には、同一の機能を発揮する限り、他の構造または形状を有する構造物が含まれるものとする。
【００６４】
また、本願明細書における説明は、本技術に関するすべての目的のために参照され、いずれも、従来技術であると認めるものではない。
【００６５】
また、以上に記載された実施の形態において、特に指定されずに材料名などが記載された場合は、矛盾が生じない限り、当該材料に他の添加物が含まれた、たとえば、合金などが含まれるものとする。
【符号の説明】
【００６６】
１０  端子付き電線
１０Ａ  端子
１０Ｂ  電線
１２  受け治具
１２Ａ  抜け止め部
１２Ｂ  開口部
１４  受け治具板
１４Ａ  指示書き
１６，１８  電線ケース
２０  部品ケース
２２  ハウジング
２２Ａ  キャビティ
２２Ｂ  貫通孔
２２Ｃ  切り替え機構
２２Ｄ，２６Ｂ  突起
２４  チューブ
２６  解除治具
２６Ａ  固定孔
【図１】
2018078013.tif 000003
【図２】
2018078013.tif 000004
【図３】
2018078013.tif 000005
【図４】
2018078013.tif 000006
【図５】
2018078013.tif 000007
【図６】
2018078013.tif 000008
【図７】
2018078013.tif 000009
【図８】
2018078013.tif 000010
【図９】
2018078013.tif 000011
【図１０】
2018078013.tif 000012